(57)【要約】【課題】ビットマークからなるプリント指定情報を写し込むデータ写し込み機構付きのレンズ付きフイルムユニットを安価に提供する。【解決手段】レンズ付きフイルムユニット２には、ストロボ発光部７を含むストロボユニット２４が組み込まれている。ライトガイド４０は、ストロボ発光部７の前面下部と対面して、ストロボ光の一部を採光する採光部４０ａと、採光した光を照射する照射部４０ｂとからなり、ストロボ発光部７から露光部３５の前面までストロボ光を導光する。露光部３５内には、写し込み光路が配設されており、導光したストロボ光により、写真フイルム２２ａの写し込み領域２２ｄにビットマークが写し込まれる。【選択図】        図３
2004191773.tif 000002
【特許請求の範囲】
【請求項１】
製造時に予め未露光の写真フイルムが装填された本体基部と、ストロボ装置と、前記写真フイルムの各コマ毎にビットマークからなるプリント指定情報を光学的に写し込むデータ写し込み機構とを備えたレンズ付きフイルムユニットにおいて、
前記データ写し込み機構は、写真フイルムと対面して配置され、写真フイルムに向けて光を照射する写し込み開口と、前記ストロボ装置のストロボ光を前記写し込み開口へ導く導光手段とを有することを特徴とするレンズ付きフイルムユニット。
【請求項２】
前記ストロボ装置から前記写し込み開口へ至る写し込み光路上に挿脱自在な遮光板が設けられており、前記遮光板は、ストロボ発光の有無を選択するストロボ操作部材に連動して移動することを特徴とする請求項１記載のレンズ付きフイルムユニット。
【発明の詳細な説明】
【０００１】
【発明の属する技術分野】
本発明は、ビットマークなどのデータを写真フイルム上に光学的に写し込むデータ写し込み機構を内蔵したレンズ付きフイルムユニットに関するものである。
【０００２】
【従来の技術】
誰でも手軽に写真撮影を楽しめるように、１回使用型の簡易型カメラであるレンズ付きフイルムユニットが知られている。レンズ付きフイルムユニットは、多様なモデルが開発されてきており、その中には、撮影時に写真フイルム上に、プリント時に使用されるプリント指定情報を写し込むこデータ写し込み機構を備えたモデルがある（特許文献１参照）。プリント指定情報は、例えば、光学的に記録されるビットマークからなり、このビットマークにより、プリントサイズ、プリントカラー（セピアやモノクロなど）、擬似ズームの有無などを指定できるようにしている。このデータ写し込み機構は、写し込み開口、写し込み光源，写し込み光路を構成するライトガイドなどからなる。
【０００３】
特許文献１記載のレンズ付きフイルムユニットでは、写し込み光源としては専用のＬＥＤが使用される。このＬＥＤはストロボ基板の背面に設けられており、ＬＥＤが発光する光を、ライトガイドによって写し込み開口に導光している。
【０００４】
【特許文献１】
特開２０００−１６２７４６号公報
【０００５】
【発明が解決しようとする課題】
しかしながら、専用のＬＥＤを使用するとデータ写し込み機構が高価になり、レンズ付きフイルムユニットの製造コストも増加してしまうという問題があった。
【０００６】
本発明は、データ写し込み機構を内蔵したレンズ付きフイルムユニットを安価に提供することを目的とする。
【０００７】
【課題を解決するための手段】
前記目的を達成するために、本発明のレンズ付きフイルムユニットは、製造時に予め未露光の写真フイルムが装填された本体基部と、ストロボ装置と、前記写真フイルムの各コマ毎にビットマークからなるプリント指定情報を光学的に写し込むデータ写し込み機構とを備えたレンズ付きフイルムユニットにおいて、前記データ写し込み機構は、写真フイルムと対面して配置され、写真フイルムに向けて光を照射する写し込み開口と、前記ストロボ装置のストロボ光を前記写し込み開口へ導く導光手段とを有することを特徴とする。
【０００８】
なお、前記ストロボ装置から前記写し込み開口へ至る写し込み光路上に挿脱自在な遮光板を設け、この遮光板を、ストロボ発光の有無を選択するストロボ操作部材に連動して移動させるとよい。
【０００９】
【発明の実施の形態】
図１に示すレンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１０】
ユニット本体３の前面には、撮影レンズ５，ファインダ６，ストロボ発光部７，撮影モードを選択するための操作部材１５等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１１】
操作部材１５の主要部は、ユニット本体３の前面に形成された操作開口１４から露呈されている。図２に示すように、操作部材１５は、操作開口１４内の下方に位置する第１操作位置（図２（Ａ））と、第１操作位置から上方に向けてスライドされた第２操作位置（図２（Ｂ））と、第２操作位置から図中時計方向に回動される第３操作位置（図２（Ｃ））との間で移動自在とされている。
【００１２】
レンズ付きフイルムユニット２は、操作部材１５が第１操作位置にある際に、ストロボＯＦＦの通常撮影モードとなる。また、操作部材１５が第２操作位置にある際には、ストロボＯＮのストロボ撮影モードとなる。操作部材１５が第３操作位置にある際には、擬似ズームモードとなる。
【００１３】
擬似ズームモードとは、写真フイルム上にビットマークからなる擬似ズーム情報を光学的に写し込むことで、プリント時に露光範囲の一部を拡大してプリントするように指定するモードである。擬似ズーム情報は略方形のビットマークからなる。このビットマークの有無はプリンタによって識別され、ビットマークが写し込まれたコマは、プリント時に画像処理によって擬似的なズーミング処理が施されてプリントされる。レンズ付きフイルムユニット２は、擬似ズーム情報を写し込むための写し込み光源として、ストロボ光を使用するため、擬似ズームモードでは、ストロボがＯＮに設定される。
【００１４】
第２及び第３撮影モードでは、レンズ付きフイルムユニット２の上面からシグナル部材１７が突出される。このシグナル部材１７は透明なプラスチックで形成されたライトガイドであり、ストロボ充電の完了時に発光する発光素子の光をユニット本体３外にガイドして、撮影準備が完了したことを知らせる。
【００１５】
図３は、ユニット本体３の構成を示す分解斜視図である。ユニット本体３は、本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００１６】
本体基部２３には、１３５タイプのフイルムパトローネ２２が装填される。フイルムパトローネ２２は、写真フイルム２２ａと、この写真フイルム２２ａが収納されるパトローネ本体２２ｂとからなり、このパトローネ本体２２ｂから写真フイルム２２ａを引き出してそれをロール状に巻いた状態で、本体基部２３の背面から装填される。周知のように、写真フイルム２２ａの両側端部には、フイルム給送用のパーフォレーション２２ｅが形成されている。
【００１７】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンし、ストロボ発光を行わせるシンクロスイッチ３０と、操作部材１５の移動によってオン／オフされる充電スイッチを構成する金属接片３１と、電池３２をストロボ回路に接続する電池接片３３等が取り付けられている。
【００１８】
本体基部２３には、その前面中央に露光部３５が設けられている。露光部３５は、撮影レンズ５を通過した撮影光の撮影光路を構成する角筒状の暗箱３６をベース部として構成される。暗箱３６の上方には、シャッタ機構，フイム巻上げ機構，ファインダ６などが設けられるとともに、暗箱３６の前方には、シャッタ羽根３８（図４参照）及びレンズホルダ３７が設けられる。
【００１９】
正面から見て、露光部３５の右側には、フイルムロールを収納するフイルムロール室２３ａが、露光部３５の左側には、パトローネ本体２２ｂを収納するパトローネ室２３ｂがそれぞれ設けられている。
【００２０】
符号４０は、写真フイルム２２ａに前記ビットマークを写し込むために使用されるストロボ光を露光部３５の前方まで導光する第１ライトガイドである。第１ライトガイド４０は、透明なプラスチックで形成されており、ストロボ発光部７の下部前方に配置される採光部４０ａと、採光した光を照射する照射部４０ｂとを有している。
【００２１】
図４に示すように、暗箱３６の前面には、撮影用開口３６ａと、データ用開口３６ｂが形成されている。撮影レンズ５を通過した被写体光は、撮影用開口３６ａから暗箱３６内に入射して、写真フイルム２２ａの撮影領域２２ｃに投射される。他方、第１ライトガイド４０によって導光された写し込み光は、データ用開口３６ｂから暗箱３６内に入射して、写真フイルム２２ａの写し込み領域２２ｄに投射される。写し込み領域２２ｄは、撮影領域２２ｃの上方のパーフォレーション２２ｅよりもさらに外側の写真フイルム２２ａの側縁部に設けられている。
【００２２】
暗箱３６の上方には、正面から見て左側に、フイルム給送機構を構成するスプロケット４３が配置される。スプロケット４３と写真フイルム２２ａのパーフォレーション２２ｅとを係合させるために、本体基部２３には、スプロケット４３の一部を背面側に露呈する開口２３ｅが形成されている。
【００２３】
図５に示すように、本体基部２３の背面には、撮影領域２２ｃと対面する位置にアパーチャ２３ｃが形成されており、その上方には、写真フイルム２２ａの側縁部に位置する写し込み領域２２ｄと対面する位置に写し込み光を照射する写し込み開口２３ｄが形成されている。写し込み開口２３ｄは、ビットマークの写し込みを行うために、略方形状に形成される。暗箱３６内には、撮影用開口３６ａからアパーチャ２３ｃへ至る撮影光路の上方に、第２ライトガイド４１が設けられている。第２ライトガイド４１は、透明なプラスチックで形成されており、データ用開口３６ｂから暗箱３６に入射した写し込み光を写し込み開口２３ｄへ導光する写し込み光路を構成する。符号４２は、写し込み光路と撮影光路とを遮断するための遮光壁であり、写し込み光路から撮影光路への写し込み光の漏光を防止する。
【００２４】
写し込み開口２３ｄは、正面から見て、スプロケット４３の右側に形成されている。写し込み開口２３ｄの前方には、写し込み光路が配設されるので、暗箱３６の上部は、上方に向かって大きく隆起している。従来のレンズ付きフイルムユニットには、スプロケットの右側には、ファインダ６と暗箱上面との間に空きスペースがあった。本例では、写し込み開口２３ｄを、スプロケット４３の右側に設けているので、前記スペースに写し込み光路を配設することができる。もともと空きスペースのところを利用しているので、本体が大型化することはない。もちろん、暗箱３６下方の電池収納スペースを圧迫することもない。
【００２５】
暗箱３６の前面には、撮影用開口３６ａとデータ用開口３６ｂを開閉するシャッタ羽根３８が配置されており、その前方には、レンズホルダ３７が配置される。暗箱３６の側方には、シャッタ羽根３８を揺動自在に支持するピン２３ｆと、バネ４５の一端が掛けられるピン２３ｇとが設けられている。
【００２６】
シャッタ羽根３８は、撮影用開口３６ａを開閉する撮影用シャッタ部３８ａと、データ用開口３６ｂを開閉するデータ用シャッタ部３８ｂと、ピン２３ｆに挿通される穴が形成された取り付け部３８ｃとからなる。取り付け部３８ｃには、バネ４５の他端が掛けられるピン３８ｄと、シンクロスイッチ３０を動作させる突起３８ｅとが設けられている。シャッタ羽根３８は、バネ４５に付勢されて撮影用開口３６ａ及びデータ用開口３６ｂを塞ぐ閉じ位置に保持されている。
【００２７】
シャッタ羽根３８は、取り付け部３８ｃの上端がシャッタ駆動レバー（図示せず）によって蹴飛ばされることで、バネ４５の付勢に抗して、撮影用開口３６ａ及びデータ用開口３６ｂを開く方向に揺動し、前記各開口３６ａ，３６ｂを全開した後、バネ４５の付勢力によって閉じ位置に復帰する。また、突起３８ｅは、シャッタ羽根３８が開き位置へ揺動するときに、シンクロスイッチ３０の一方の接片を叩き、一対の接片を接触させる。これによりシンクロスイッチ３０がＯＮＮして、ストロボ発光する。
【００２８】
レンズホルダ３７は、シャッタカバー４６をベースに、撮影レンズ５や絞りを組み込んだものである。シャッタカバー４６は、シャッタ羽根３８が配置された暗箱３６の前面を覆う。シャッタカバー４６には、データ用開口３６ｂと対応する位置に、開口４６ａが形成されている。この開口４６ａは、マスク板４７によって開閉される。マスク板４７は、データ写し込み光路上に挿脱自在に設けられており、擬似ズームモードが選択されていないときに、開口４６ａと第１ライトガイド４０の照射部４０ｂとの間の写し込み光路上に挿入され、第１ライトガイド４０の照射部４０ｂから照射される光が、データ用開口３６ｂへ進入することを禁止する。
【００２９】
マスク板４７は、アーム４７ｂがピン４６ｂに揺動自在に取り付けられており、遮蔽部４７ａが写し込み光路から退避して開口４６ａを開く位置と、遮蔽部４７ａが写し込み光路へ進入して開口４６ａを閉じる位置との間で移動する。マスク板４７は、例えば、ねじりバネ４８によって閉じ位置に向けて付勢されている。ねじりバネ４８の一端は、シャッタカバー４６に設けられたピン４６ｃに掛けられており、他端がマスク板４７に設けられたピン（図示せず）に掛けられている。ピン４６ｄは、マスク板４７の揺動範囲を閉じ位置で規制するストッパである。マスク板４７は、操作部材１５に連動して揺動する。アーム４７ｂの下端には、操作部材１５の押圧レバー１５ａが当接してマスク板４７を揺動させるための駆動ピン４７ｃが形成されている。
【００３０】
図６（Ａ）に示すように、操作部材１５が第１操作位置及び第２操作位置にあるときには、押圧レバー１５ａと、駆動ピン４７ｃとは接触せず、したがって、マスク板４７は、ねじりバネ４８の付勢によって写し込み光路上に挿入される位置で保持される。このため、シャッタ羽根３８が開いて、データ用開口３６ｂが開放されても、マスク板４７によって、写し込み光路が遮断されているから、データ用開口３６ｂに光が入射することはない。
【００３１】
他方、図６（Ｂ）に示すように、操作部材１５が第３操作位置にあるときには、押圧レバー１５ａと駆動ピン４７ｃと当接して、該押圧レバー１５ａによって駆動ピン４７ｃが押し上げられる。これにより、マスク板４７が、ねじりバネ４８の付勢に抗して図中反時計方向に揺動して、写し込み光路から退避する。この状態で、シャッタ羽根３８が開くと、照射部４０ｂからの光がデータ用開口３６ｂに入射して、データ写し込みが行われる。
【００３２】
図７は、モード切替機構２５の構成を示す分解斜視図である。移動機構５１は、操作部材１５と、軸受板７７と、スライド板７８と、受け板７９とから構成されている。操作部材１５の切替板７４の背面には、円環形状の回動ガイド７４ａと、スライド板７８をスライドさせる２本のスライドピン７４ｂ，７４ｃと、操作部材１５の移動方向をガイドするガイドピン７４ｅとが設けられている。２本のスライドピン７４ｂ，７４ｃは、回動ガイド７４ａの中に配置されている。
【００３３】
軸受板７７には、操作部材１５の回動ガイド７４ａが挿入される軸受開口７７ａと、ガイドピン７４ｅが挿入される開口７７ｃが形成されている。軸受板７７は、操作部材１５の第１操作位置と第２操作位置との間の移動に連動して上下方向でスライドされる。また、操作部材１５が第２操作位置と第３操作位置との間で回動する際には、軸受板７７は移動せず、軸受開口７７ａによって操作部材１５を軸支する。
【００３４】
また、軸受板７７の背面には、スライド板７８をスライドさせるスライドピン７７ｇと、ストロボユニット２４の基板２９に設けられた充電スイッチの金属接片３１を押圧して充電動作を行わせる押圧片７７ｈとが設けられている。
【００３５】
スライド板７８には、シグナル部材１７と係合する係合部７８ａが設けられている。また、スライド板７８には、操作部材１５の２本のスライドピン７４ｂ，７４ｃがそれぞれ挿入される二つの開口７８ｂ，７８ｃと、軸受板７７のスライドピン７７ｇが挿入される開口と７８ｄと、受け板７９のガイドピン７９ａと係止片７９ｂとが挿入されるスリット７８ｅと、受け板７９のガイドピン７９ｃが挿入されるスリット７８ｆと、軸受板７７の押圧片７７ｈが挿入される開口７８ｇとが設けられている。スリット７８ｅ内には、受け板７９の係止片７９ｂに係合する突起７８ｈが設けられている。
【００３６】
スライド板７８は、操作部材１５の第１操作位置と第２操作位置と間の移動時に、操作部材１５のスライドピン７４ｂと軸受板７７のスライドピン７７ｇとに押圧されて上下方向でスライドする。また、操作部材１５が第２操作位置と第３操作位置との間で回動する際には、操作部材１５の回動中心から離れて設けられたスライドピン７４ｃがスライド板７８を押圧し、スライド板７８を更に大きくスライドさせる。
【００３７】
受け板７９には、前述のガイドピン７９ａ，７９ｃ及び係止片７９ｂと、操作部材１５のガイドピン７４ｅに当接する規制リブ７９ｆと、ガイドピン７４ｅに当接する規制ピン７９ｇと、軸受板７７の押圧片７７ｈが挿入される開口７９ｈとが設けられている。開口７９ｈは、ストロボユニット２４の充電スイッチの金属接片３１に対面する位置に設けられている。
【００３８】
受け板７９は、ストロボユニット２４のプリント基板２９の前面側に取り付けられ、ガイドピン７９ａ，７９ｃと係止片７９ｂとによって、スライド板７８と軸受板７７と操作部材１５とをガイドする。受け板７９の規制リブ７９ｆは、操作部材１５のガイドピン７４ｅに当接して、第１操作位置にある操作部材１５が回動されないように、また第３操作位置にある操作部材１５が下方にスライドされないように規制する。受け板７９の規制ピン７９ｇは、操作部材１５が第２操作位置にある際にガイドピン７４ｅに当接し、操作部材１５が簡単に第３操作位置に回動されるのを阻止する。
【００３９】
以下、上記構成による作用について説明する。操作部材１５が第１操作位置にあるときには、金属接片３１は、押圧片７７ｈと接触しないので、ストロボの充電はされない。このため、シャッタレリーズによりシンクロスイッチ３０がＯＮしてもストロボ発光はしない。また、この第１操作位置にあるときには、操作部材１５の押圧レバー１５ａと、マスク板４７の駆動ピン４７ｃとは当接しないので、マスク板４７は開口４６ａと照射部４０ｂとの間に挿入されて写し込み光路を遮断している。このため、シャッタレリーズによりデータ用開口３６ｂが開放されても、写し込み領域２２ｄにビットマークが写し込まれることはない。
【００４０】
操作部材１５が第２操作位置にあるときには、金属接片３１は、押圧片７７ｈと接触してこれを押圧し、充電スイッチをオンする。これにより、ストロボの充電が開始される。このため、シャッタレリーズによりシンクロスイッチ３０がＯＮするとストロボが発光する。他方、この第２操作位置では、第１操作位置と同様に、操作部材１５の押圧レバー１５ａは、マスク板４７の駆動ピン４７ｃと当接しないので、マスク板４７は、依然として写し込み光路を遮断している。このため、第１ライトガイド４０によって導光されたストロボ光が照射部４０ｂから照射されても、ストロボ光がデータ用開口３６ｂから入射することはなく、ビットマークは写し込まれない。
【００４１】
操作部材１５が第３操作位置にあるときには、第２操作位置と同様に、充電スイッチがオンされて、シャッタレリーズと同期してストロボが発光する。また、第３操作位置では、押圧レバー１５ａによってマスク板４７の駆動ピン４７ｃが押し上げられて、マスク板４７が写し込み光路から退避する。このため、シャッタレリーズが行われると、照射部４０ｂから照射されたストロボ光がデータ用開口３６ｂから入射して、写し込み領域２２ｄにビットマークが写し込まれる。
【００４２】
このように、写し込み光源として、ストロボ光を利用したので、専用の写し込み光源を使用することなく、ビットマークの写し込みが可能となる。専用の写し込み光源を使用しないから、部品コストが削減されて製造コストが低減される。
【００４３】
図８に示すレンズ付きフイルムユニット９１は、操作部材９２に連動して、ファインダ６の視野枠を切り替える視野枠切り替え部材９３を設けた例である。操作部材９２は、上記実施形態と同様に、第１操作位置，第２操作位置，第３操作位置の３つの位置の間で移動する。なお、上記実施形態と同じ部材については、同一の符号を付す。
【００４４】
視野枠切り替え部材９３は、擬似ズームにおいてプリントされる範囲を示す視野枠９４と、この視野枠９４と一体で形成されたアーム９５とからなる。ユニット本体９６の前面には、視野枠切り替え部材９３を、視野枠９４がファインダ６の前面に挿入される挿入位置と、ファインダ６の前面から退避する退避位置との間で揺動自在に軸支するピン９７が設けられている。視野枠切り替え部材９３は、ねじりバネ９８によって退避位置に付勢されている。ねじりバネ９８の一端は、ピン９９に掛けられており、他端はアーム９７の図示しないピンに掛けられている。
【００４５】
また、操作部材９２には、操作部材９２が第２操作位置（ストロボ撮影モード）から第３操作位置（擬似ズームモード）へ移動するときに、アーム９５と当接して視野枠切り替え部材９３を図中反時計方向に回動させる駆動ピン１０１が設けられている。駆動ピン１０１は、ユニット本体９６の前面から突出しており、その端部がアーム９５と当接する。また、ユニット本体９６の前面には、視野枠切り替え部材９３を覆う化粧用のカバー部材１０２が取り付けられる。このカバー部材１０２には、撮影レンズ５，ファインダ６，操作部材９２，ストロボ発光部７のそれぞれを露呈する各開口が形成される。
【００４６】
操作部材９２が第１操作位置及び第２操作位置にある間は、ねじりバネ９８の付勢により、視野枠切り替え部材９３は退避位置に保持されるとともに、他方、操作部材９２が第３操作位置へ移動されると、視野枠切り替え部材９３は、駆動ピン１０１にアーム９５を押し上げられて挿入位置に移動する。これにより、擬似ズーム用の視野枠９４とファインダ６の通常の視野枠とが切り替えられる。
【００４７】
上記実施形態では、ビットマークを擬似ズーム処理を指定する情報として説明したが、擬似ズームに限らず、プリントカラーの指定やプリントサイズの指定などプリント処理に関する各種の指定を行うプリント指定情報に用いることができる。
【００４８】
上記実施形態では、ビットマークの写し込み領域を、正面から見て、撮影領域の右上方としているが、写し込み位置は、撮影領域の範囲外であれば他の場所でもよい。
【００４９】
また、１３５タイプのフイルムパトローネを使用したレンズ付きフイルムユニットを例に説明したが、ＩＸ２４０タイプのフイルムカートリッジを使用したレンズ付きフイルムユニットに本発明を適用してもよい。
【００５０】
【発明の効果】
以上詳細に説明したように、本発明のレンズ付きフイルムユニットは、ストロボ装置のストロボ光を、導光手段により、ビットマークからなるプリント指定情報を写し込む写し込み開口に導光するようにしたから、専用の写し込み光源が不要となるので製造コストを安価にすることができる。
【図面の簡単な説明】
【図１】レンズ付きフイルムユニットの外観斜視図である。
【図２】モードを切り替える操作部材のモード選択位置を示す説明図である。
【図３】レンズ付きフイルムユニットの分解斜視図である。
【図４】データ写し込み機構の説明図である。
【図５】暗箱の断面図である。
【図６】マスク板と操作部材の連動関係の説明図である。
【図７】モード切替機構の構成図である。
【図８】視野枠切り替え部材付きのレンズ付きフイルムユニットの外観斜視図である。
【符号の説明】
２  レンズ付きフイルムユニット
６  ファインダ
７  ストロボ発光部
１５  操作部材
２２ａ  写真フイルム
２２ｄ  写し込み領域
２３  本体基部
２３ｄ  写し込み開口
２４  ストロボユニット
２５  モード切替機構
３６  暗箱
３６ａ  撮影用開口
３６ｂ  データ用開口
３８  シャッタ羽根
３８ａ  撮影用シャッタ部
３８ｂ  データ用シャッタ部
４０  第１ライトガイド
４１  第２ライトガイド
４６ａ  開口
４７  マスク板
【図１】
2004191773.tif 000003
【図２】
2004191773.tif 000004
【図３】
2004191773.tif 000005
【図４】
2004191773.tif 000006
【図５】
2004191773.tif 000007
【図６】
2004191773.tif 000008
【図７】
2004191773.tif 000009
【図８】
2004191773.tif 000010